(57)【特許請求の範囲】
【請求項１】
被写体に係る画像を表示可能な表示部を有するデジタルカメラと、前記デジタルカメラにデータ伝送可能な遠隔操作装置とを備える撮影システムであって、
前記遠隔操作装置は、
操作入力を受付ける第１入力部と、
前記第１入力部に対する所定の操作に応じて、前記表示部に表示される画像上の特定位置を指定する第１指定手段と、
を備え、
前記デジタルカメラは、
前記第１入力部に対する特定の操作に応答し、前記特定位置に基づき所定の処理を行う処理手段と、
操作入力を受付ける第２入力部と、
前記第２入力部に対する所定の操作に応じて、前記表示部に表示される画像上の特定位置を指定する第２指定手段と、
前記遠隔操作装置と前記デジタルカメラとがデータ伝送に関して接続状態であるか否かを判定する判定手段と、
前記判定手段により前記接続状態であると判定される場合で、前記第２指定手段により前記特定位置が指定される場合には、所定の警告を行う警告手段と、
を備えることを特徴とする撮影システム。
【請求項２】
被写体に係る画像を表示可能な表示部を有するデジタルカメラと、前記デジタルカメラにデータ伝送可能な遠隔操作装置とを備える撮影システムであって、
前記遠隔操作装置は、
操作入力を受付ける第１入力部と、
前記第１入力部に対する所定の操作に応じて、前記表示部に表示される画像上の特定位置を指定する第１指定手段と、
を備え、
前記デジタルカメラは、
前記第１入力部に対する特定の操作に応答し、前記特定位置に基づき所定の処理を行う処理手段と、
操作入力を受付ける第２入力部と、
前記第２入力部に対する所定の操作に応じて、前記表示部に表示される画像上の特定位置を指定する第２指定手段と、
前記遠隔操作装置と前記デジタルカメラとがデータ伝送に関して接続状態であるか否かを判定する判定手段と、
前記判定手段により前記接続状態であると判定される場合で、前記第２指定手段により前記特定位置が指定される場合には、当該特定位置の指定を無効にする無効手段と、
を備えることを特徴とする撮影システム。
【請求項３】
被写体に係る画像を表示可能な表示部を有するデジタルカメラと、前記デジタルカメラにデータ伝送可能な遠隔操作装置とを備える撮影システムであって、
前記遠隔操作装置は、
操作入力を受付ける第１入力部と、
前記第１入力部に対する所定の操作に応じて、前記表示部に表示される画像上の特定位置を指定する第１指定手段と、
を備え、
前記デジタルカメラは、
前記第１入力部に対する特定の操作に応答し、前記特定位置に基づき所定の処理を行う処理手段と、
操作入力を受付ける第２入力部と、
前記第２入力部に対する所定の操作に応じて、前記表示部に表示される画像上の特定位置を指定する第２指定手段と、
前記遠隔操作装置と前記デジタルカメラとがデータ伝送に関して接続状態であるか否かを判定する判定手段と、
前記判定手段により前記接続状態であると判定される場合で、前記第２指定手段により前記特定位置が変更される場合には、前記所定の処理を再度行う再処理手段と、
を備えることを特徴とする撮影システム。
【請求項４】
請求項１ないし請求項３のいずれかに記載の撮影システムにおいて、
前記所定の処理は、合焦に係る処理であり、
前記デジタルカメラは、
前記合焦に係る処理の結果を前記表示部に表示させる処理結果表示手段、
をさらに備えることを特徴とする撮影システム。
【請求項５】
請求項１に記載の撮影システムにおいて、
前記デジタルカメラは、
前記判定手段により前記接続状態であると判定される場合で、前記第２指定手段により前記特定位置が変更される場合には、前記所定の処理を再度行う再処理手段と、
前記警告手段と前記再処理手段とを選択的に能動化させる切替手段と、
をさらに備えることを特徴とする撮影システム。
【発明の詳細な説明】
【０００１】
【発明の属する技術分野】
本発明は、デジタルカメラと遠隔操作装置とを備える撮影システムの技術に関する。
【０００２】
【従来の技術】
従来のデジタルカメラにおいては、特開平３−１８７５８０公報や、特開平１１―１９６３０１公報に、被写体像の特定部分を枠として指定する技術が開示されている。
【０００３】
上記のデジタルカメラでは、被写体上の特定位置を指定する場合に、デジタルカメラを三脚などに据えて操作し撮影するケースが多い。
【０００４】
【発明が解決しようとする課題】
しかしながら、上記のデジタルカメラでは、三脚に据える場合にも、カメラに設けられるボタンを操作する必要があるため、ボタン操作に伴いフレーミングがずれてしまい、位置指定を精密に行うが難しいという問題がある。
【０００５】
本発明は、上記課題に鑑みてなされたものであり、被写体に係る指定位置を指定可能なデジタルカメラにおいて、指定位置の精密な指定ができる撮影システムの技術を提供することを目的とする。
【０００６】
【課題を解決するための手段】
上記の課題を解決するため、請求項１の発明は、被写体に係る画像を表示可能な表示部を有するデジタルカメラと、前記デジタルカメラにデータ伝送可能な遠隔操作装置とを備える撮影システムであって、前記遠隔操作装置は、操作入力を受付ける第１入力部と、前記第１入力部に対する所定の操作に応じて、前記表示部に表示される画像上の特定位置を指定する第１指定手段とを備え、前記デジタルカメラは、前記第１入力部に対する特定の操作に応答し、前記特定位置に基づき所定の処理を行う処理手段と、操作入力を受付ける第２入力部と、前記第２入力部に対する所定の操作に応じて、前記表示部に表示される画像上の特定位置を指定する第２指定手段と、前記遠隔操作装置と前記デジタルカメラとがデータ伝送に関して接続状態であるか否かを判定する判定手段と、前記判定手段により前記接続状態であると判定される場合で、前記第２指定手段により前記特定位置が指定される場合には、所定の警告を行う警告手段とを備える。
【０００８】
また、請求項２の発明は、被写体に係る画像を表示可能な表示部を有するデジタルカメラと、前記デジタルカメラにデータ伝送可能な遠隔操作装置とを備える撮影システムであって、前記遠隔操作装置は、操作入力を受付ける第１入力部と、前記第１入力部に対する所定の操作に応じて、前記表示部に表示される画像上の特定位置を指定する第１指定手段とを備え、前記デジタルカメラは、前記第１入力部に対する特定の操作に応答し、前記特定位置に基づき所定の処理を行う処理手段と、操作入力を受付ける第２入力部と、前記第２入力部に対する所定の操作に応じて、前記表示部に表示される画像上の特定位置を指定する第２指定手段と、前記遠隔操作装置と前記デジタルカメラとがデータ伝送に関して接続状態であるか否かを判定する判定手段と、前記判定手段により前記接続状態であると判定される場合で、前記第２指定手段により前記特定位置が指定される場合には、当該特定位置の指定を無効にする無効手段とを備える。
【０００９】
また、請求項３の発明は、被写体に係る画像を表示可能な表示部を有するデジタルカメラと、前記デジタルカメラにデータ伝送可能な遠隔操作装置とを備える撮影システムであって、前記遠隔操作装置は、操作入力を受付ける第１入力部と、前記第１入力部に対する所定の操作に応じて、前記表示部に表示される画像上の特定位置を指定する第１指定手段とを備え、前記デジタルカメラは、前記第１入力部に対する特定の操作に応答し、前記特定位置に基づき所定の処理を行う処理手段と、操作入力を受付ける第２入力部と、前記第２入力部に対する所定の操作に応じて、前記表示部に表示される画像上の特定位置を指定する第２指定手段と、前記遠隔操作装置と前記デジタルカメラとがデータ伝送に関して接続状態であるか否かを判定する判定手段と、前記判定手段により前記接続状態であると判定される場合で、前記第２指定手段により前記特定位置が変更される場合には、前記所定の処理を再度行う再処理手段とを備える。
【００１０】
また、請求項４の発明は、請求項１ないし請求項３のいずれかの発明に係る撮影システムにおいて、前記所定の処理は、合焦に係る処理であり、前記デジタルカメラは、前記合焦に係る処理の結果を前記表示部に表示させる処理結果表示手段をさらに備える。
【００１１】
また、請求項５の発明は、請求項１の発明に係る撮影システムにおいて、前記デジタルカメラは、前記判定手段により前記接続状態であると判定される場合で、前記第２指定手段により前記特定位置が変更される場合には、前記所定の処理を再度行う再処理手段と、前記警告手段と前記再処理手段とを選択的に能動化させる切替手段とをさらに備える。
【００１６】
【発明の実施の形態】
＜第１実施形態＞
本発明の第１実施形態に係る撮影システムＣＳ１は、デジタルカメラ１と、デジタルカメラ１にデータ伝送可能なリモートコントローラ(以下では単に「リモコン」という)４とを備えている。
【００１７】
以降では、まずデジタルカメラ１とリモコン４との要部構成を説明し、次に撮影システムＣＳ１の動作を説明する。
【００１８】
＜デジタルカメラ１の要部構成＞
図１ないし図４は、デジタルカメラ１の正面図、背面図、側面図および底面図であり、図５はデジタルカメラ１の内部構成を示すブロック図である。
【００１９】
デジタルカメラ１は、図１に示すように、箱型のカメラ本体部２と直方体状の撮像部３（図１、図２および図４に太線で図示）とから構成されている。撮像部３は、撮影レンズであるマクロ機能付きズームレンズ３０１を有するとともに、銀塩フィルムを用いるレンズシャッターカメラ（以下、「銀塩カメラ」と称する）と同様に、被写体からのフラッシュ光の反射光を受光する調光センサ３０５、および光学ファインダ３１が設けられる。このズームレンズ３０１は、３５ｍｍフィルムを使用する銀塩カメラに換算して焦点距離３５ｍｍから７０ｍｍまでのズームが可能となっている。
【００２０】
なお、撮像部３内部にはズームレンズ３０１の後方位置に、撮像手段として機能するＣＣＤカラーエリアセンサであるＣＣＤ３０３（図５参照）を有し、ＣＣＤ３０３は撮像回路３０２の一部となっている。
【００２１】
カメラ本体部２の前面には、図１に示すように、左端部にグリップ部４が、中央上部に内蔵フラッシュ５および赤外受光部２４が設けられ、上面にはシャッタボタン８が設けられている。この赤外受光部２４は、デジタルカメラ１を遠隔操作するための信号を含み、リモコン４から発せられる赤外線を受光するための部位である。
【００２２】
一方、図２に示すように、カメラ本体部２の背面には、略中央に撮影画像のモニタ表示（ビューファインダに相当）、記録画像の再生表示等を行うためのＬＣＤ１０が設けられている。このＬＣＤ１０は、４００×３００画素数の表示画面を有している。また、ＬＣＤ１０の下方に、デジタルカメラ１の操作を行うキースイッチ群２２１〜２２６および電源スイッチ２２７が設けられる。なお、キースイッチ２２５が合焦位置に対応するＡＦカーソルＣＲをＬＣＤ１０上に表示させるＡＦカーソルボタンとして、キースイッチ２２６がメニューボタンとして機能する。電源スイッチ２２７の左側には、電源がオン状態で点灯するＬＥＤ２２８およびメモリカードへのアクセス中である旨を表示するＬＥＤ２２９が配置される。
【００２３】
さらに、カメラ本体部２の背面には、「撮影モード」、「再生モード」および「プリファレンスモード」の間でモードを切り替えるモード設定スイッチ１４が設けられる（図３参照）。撮影モードは、写真撮影を行うモードであり、再生モードは、メモリカード９に記録された撮影済み画像をＬＣＤ１０に再生表示するモードであり、さらに、プリファレンスモードは、表示される表示項目(設定項目)の中から選択することにより各種の設定を行うモードである。
【００２４】
モード設定スイッチ１４は、３接点のスライドスイッチであり、図２において下にセットすると撮影モードに設定され、中央にセットすると再生モードに設定され、上にセットするとプリファレンスモードに設定される。
【００２５】
また、カメラ背面右側には、４連スイッチ２３０が設けられ、撮影モードにおいてボタン２３１，２３２を押すことによりズームレンズ３０１の焦点距離を変更するズーミングが行えるとともに、ボタン２３３，２３４を押すことによって露出補正を手動で行える。
【００２６】
撮像部３の背面には、図２に示すように、ＬＣＤ１０をオン／オフさせるためのＬＣＤボタン３２１およびマクロボタン３２２が設けられる。ＬＣＤボタン３２１が押されるとＬＣＤ表示のオン／オフが切り替わる。例えば、専ら光学ファインダ３１のみを用いて撮影するときには、節電の目的でＬＣＤ表示をオフにする。マクロ撮影時には、マクロボタン３２２が押されることにより、ＡＦモータ３０８（図５参照）が駆動されズームレンズ３０１がマクロ撮影可能な状態になる。
【００２７】
カメラ本体部２の側面には、図３に示すようにＤＣ入力端子２３５が設けられる。
【００２８】
カメラ本体部２の底面には、図４に示すように、電池装填室１８と、１つのカード装填室１７（カードスロット部）とが設けられる。カード装填室１７は、メモリカード９が装填できる。このカード充填室１７については、クラムシェルタイプの蓋１５により開閉自在になっている。
【００２９】
また、カード装填室１７は、インターフェースカードが装填可能となっている。このインターフェースカードを装着して蓋１５を閉じるとインターフェースカードの通信用のコネクタ部分が開口部１５ａから外部に露出するようになっている。これにより、蓋１５を閉じた状態で、パーソナルコンピュータなどの外部機器と結線することが可能となる。
【００３０】
デジタルカメラ１では、４本の単三形乾電池を電池装填室１８に装填することにより、これらを直列接続してなる電源電池２３６（図５参照）を駆動源としている。もちろん、図３に示すＤＣ入力端子２３５からアダプタからの電力を供給して使用することも可能である。
【００３１】
次に、図５を参照しながら撮像部３の内部構成について順に説明する。
【００３２】
撮像回路３０２は、ズームレンズ３０１によりＣＣＤ３０３上に結像された被写体の光像をＣＣＤ３０３を用いて光電変換し、Ｒ（赤），Ｇ（緑），Ｂ（青）の色成分の画像データ（各画素で受光された画素信号の信号列からなる信号）として出力する。ここで、ＣＣＤ３０３は、１６００×１２００画素数を有している。
【００３３】
なお、デジタルカメラ１では絞りが固定絞りとなっているので、撮像部３における露出制御は、ＣＣＤ３０３の露光量（シャッタスピードに相当するＣＣＤ３０３の電荷蓄積時間）を調節して行われる。被写体輝度が低輝度時に適切なシャッタスピードが設定できない場合は、ＣＣＤ３０３から出力される画像信号のレベル調整を行うことにより露光不足による不適正露出が補正される。すなわち、低輝度時は、シャッタスピードとゲイン調整とを組み合わせて露出制御が行われる。なお、画像信号のレベル調整は、後述の信号処理回路３１３内のＡＧＣ（オートゲインコントロール）回路により行われる。この自動露光(ＡＥ)における測光に関しては、後で詳述する。
【００３４】
タイミングジェネレータ３１４は、カメラ本体部２内のタイミング制御回路２０２から送信されるクロックに基づきＣＣＤ３０３の駆動制御信号を生成するものである。タイミングジェネレータ３１４は、例えば、積分開始／終了（すなわち、露出開始／終了）のタイミング信号、各画素の受光信号の読出制御信号（水平同期信号，垂直同期信号，転送信号等）等のクロック信号を生成し、ＣＣＤ３０３に出力する。
【００３５】
信号処理回路３１３は、撮像回路３０２から出力される画像信号（アナログ信号）に所定のアナログ信号処理を施すものである。信号処理回路３１３は図示しないが、その内部にＣＤＳ（相関二重サンプリング）回路とＡＧＣ回路とを有し、ＣＤＳ回路により画像信号のノイズの低減を行い、ＡＧＣ回路のゲインを調整することにより画像信号のレベル調整を行う。
【００３６】
調光回路３０４は、フラッシュ撮影における内蔵フラッシュ５の発光量をカメラ本体部２の全体制御部２１１により設定された所定の発光量に制御するものである。フラッシュ撮影においては、露出開始と同時に被写体からのフラッシュ光の反射光が調光センサ３０５により受光され、この受光量が所定の発光量に達すると、調光回路３０４から全体制御部２１１を介してカメラ本体部２のフラッシュ制御回路２１４へ発光停止信号が出力される。フラッシュ制御回路２１４は、この発光停止信号に応答して内蔵フラッシュ５の発光を強制的に停止し、これにより、内蔵フラッシュ５の発光量が所定の発光量に制御される。
【００３７】
また、撮像部３の内部には、ズームレンズ３０１のズーム比の変更と収容位置と撮影位置との間のレンズ移動を行うためのズームモータ３０７、および合焦を行うためのＡＦ（オートフォーカス）モータ３０８が設けられる。
【００３８】
次に、カメラ本体部２の内部構成について説明する。
【００３９】
全体制御部２１１は主にＣＰＵからなり、アドレスバス、データバス、コントロールバスで接続されている上述した撮像部３内およびカメラ本体部２内の各周辺構成の駆動を制御することによってデジタルカメラ１の撮影動作を統括制御するものである。
【００４０】
なお、図５（および後述の図６）中の画像データの流れについても便宜上、周辺構成間の矢印によって示しているが、実際には、画像データは全体制御部２１１を介して各周辺構成ごとに送られる。また、全体制御部２１１内には、ＤＲＡＭからなるワークＲＡＭ２１１ａ、およびプログラムを格納するためのフラッシュＲＯＭ２１１ｂを内蔵している。
【００４１】
次に、カメラ本体部２の内部における画像信号の処理および画像表示に関する構成について説明する。
【００４２】
撮像部３の信号処理回路３１３から送られたアナログ画像信号はカメラ本体部２内の画像処理部２００において各種画像処理が施される。図６は画像処理部２００の構成を示すブロック図である。まず、画像処理部２００へ送られてきたアナログ画像信号はＡ／Ｄ変換器２０５において各画素ごとに１０ビットのデジタル信号に変換される。Ａ／Ｄ変換器２０５は、タイミング制御回路２０２から入力されるＡ／Ｄ変換用のクロックに基づいて各画素信号（アナログ信号）を１０ビットのデジタル信号に変換する。
【００４３】
なお、タイミング制御回路２０２は、全体制御部２１１の制御により、基準クロックやタイミングジェネレータ３１４およびＡ／Ｄ変換器２０５に対するクロックを生成する。
【００４４】
黒レベル補正回路２０６は、Ａ／Ｄ変換された画素信号（以下、「画素データ」という。）の黒レベルを基準の黒レベルに補正するものである。また、ＷＢ回路２０７は、Ｒ，Ｇ，Ｂの各色成分の画素データのレベル変換を行うものであり、後工程のγ補正を考慮したホワイトバランスの自動調整(ＡＷＢ)を行う。ホワイトバランスの調整は、全体制御部２１１からＷＢ回路２０７に入力されるレベル変換テーブル（正確にはそのデータ）を用いて行われ、レベル変換テーブルの各色成分の変換係数（特性の傾き）は全体制御部２１１により撮影画像毎に設定される。
【００４５】
γ補正回路２０８は、画素データのγ特性を補正するものである。γ補正回路２０８からの出力は図５に示すように画像メモリ２０９に送られる。
【００４６】
画像メモリ２０９は、画像処理部２００から出力される画素データを記憶するメモリであり、１フレーム分の記憶容量を有している。すなわち、画像メモリ２０９は、ＣＣＤ３０３が１６００×１２００のマトリクス状に配列した画素を有している場合、１６００×１２００画素分の画素データの記憶容量を有し、各画素データが対応する記憶領域（アドレス）に記憶されるようになっている。
【００４７】
ＶＲＡＭ２１０は、ＬＣＤ１０に表示される画像データのバッファメモリである。ＶＲＡＭ２１０は、ＬＣＤ１０の４００×３００画素に対応した画像データの記憶容量、すなわち４００×３００画素分の容量を有している。
【００４８】
このような構成により、撮影モードにおける撮影待機状態においては、撮像部３により所定間隔毎に撮像された画像の各画素データが画像処理部２００により処理され、画像メモリ２０９に記憶されるとともに全体制御部２１１を介してＶＲＡＭ２１０に転送され、ＬＣＤ１０に表示される。これにより、被写体に関する撮影前の画像をＬＣＤ１０に動画的に表示するライブビュー(プレビュー)表示が行えることとなる。なお、上記の撮影待機状態とは、シャッタボタン８が半押し(Ｓ１)される前の状態をいう。
【００４９】
このライブビュー表示では、図７に示すように、１６００×１２００画素の画像メモリ２０９内の画像データを、縦横１／４に間引いて４００×３００画素のＶＲＡＭ２１０に転送されることとなる。
【００５０】
また、再生モードにおいては、メモリカード９から読み出された画像に全体制御部２１１による所定の信号処理が施された後、ＶＲＡＭ２１０に転送されてＬＣＤ１０に再生表示される。なお、ＬＣＤ１０において画像を表示する際には、全体制御部２１１の制御によりバックライト１６が点灯する。
【００５１】
次に、カメラ本体部２内のその他の構成について順に説明する。
【００５２】
カードＩ／Ｆ２１２は、カード充填室１７に装填されたメモリカード９との間で信号の受け渡しを行うインタフェースである。具体的にはメモリカード９の画像データの書込みおよび画像データの読出しを行う。また、カードＩ／Ｆ２１２は、カード充填室１７にインターフェースカードが装填される場合には、インターフェースカードを介してデジタルカメラ１の外部とデータ入出力を行う。
【００５３】
フラッシュ制御回路２１４は、上述のように、内蔵フラッシュ５の発光を制御する回路である。フラッシュ制御回路２１４は、全体制御部２１１の制御信号に基づき内蔵フラッシュ５の発光の有無、発光量および発光タイミング等を制御し、調光回路３０４から入力される発光停止信号に基づき内蔵フラッシュ５の発光量を制御する。
【００５４】
時計回路２１９は、撮影日時を管理するするための時計回路である。図示しない別の電源で駆動される。
【００５５】
また、カメラ本体部２内にはズームモータ３０７およびＡＦモータ３０８を駆動するためのズームモータ駆動回路２１５およびＡＦモータ駆動回路２１６が設けられる。これらの回路は、シャッタボタン８やその他の上述した各種スイッチ、ボタンからなる操作部２５０の操作に応じて機能する。
【００５６】
シャッタボタン８は、半押し状態(Ｓ１)と押し込んだ状態(Ｓ２)とが検出可能な２段階スイッチになっており、撮影待機状態でシャッタボタン８を半押し状態にすると、ＡＦモータ駆動回路２１６がＡＦモータ３０８を駆動し、合焦されるポジションにズームレンズ３０１を移動させる。
【００５７】
また、ボタン２３１，２３２が押されると、これらのボタンからの信号が全体制御部２１１に送られ、全体制御部２１１の指示によってズームモータ駆動回路２１５がズームモータ３０７を駆動してズームレンズを移動させ、光学的なズーミングを行う。
【００５８】
以上、カメラ本体部２内の各構成について説明したが、全体制御部２１１は周辺構成とのデータの受け渡しやタイミング制御の他に様々な機能をソフトウェア的に行うものとなっている。
【００５９】
例えば、全体制御部２１１は露出制御値（シャッタスピード）を設定するための輝度判定機能とシャッタスピード設定機能とを備えている。輝度判定機能とは、撮影待機状態において、ＣＣＤ３０３により１／３０秒毎に取り込まれ、画像メモリ２０９に記憶される画像を利用して被写体の明るさを判定するものである。シャッタスピード設定機能とは、輝度判定による被写体の明るさの判定結果に基づいてシャッタスピード（ＣＣＤ３０３の積分時間）を設定するものである。
【００６０】
また、全体制御部２１１は撮影画像の記録処理を行うために、フィルタリング処理機能、記録画像生成機能、さらには、再生画像生成機能を備えている。
【００６１】
フィルタリング処理機能とは、デジタルフィルタにより記録すべき画像の高周波成分を補正して輪郭に関する画質の補正を行うものである。
【００６２】
記録画像生成機能は、画像メモリ２０９から画素データを読み出してメモリカード９に記録すべきサムネイル画像と圧縮画像とを生成する。具体的には、画像メモリ２０９からラスタ走査方向に走査しつつ、横方向と縦方向の両方向でそれぞれ８画素毎に画素データを読み出し、順次、メモリカード９に転送することで、サムネイル画像を生成しつつメモリカード９に記録する。また、メモリカード９への圧縮画像データの記録に際して画像メモリ２０９から全画素データを読み出し、これらの画素データに２次元ＤＣＴ変換、ハフマン符号化等のＪＰＥＧ方式による所定の圧縮処理を施してメモリカード９に記録する。
【００６３】
具体的な操作としては、撮影モードにおいて、シャッタボタン８により撮影が指示されると、撮影指示後に画像メモリ２０９に取り込まれた画像のサムネイル画像と設定された圧縮率によりＪＰＥＧ方式により圧縮された圧縮画像とを生成し、撮影画像に関するタグ情報（コマ番号、露出値、シャッタスピード、圧縮率、撮影日、撮影時のフラッシュのオン／オフのデータ、シーン情報、画像の判定結果等の情報）とともに両画像をメモリカード９に記憶する。このメモリカード９に対する画像データの記録形式については、後で詳述する。
【００６４】
また、再生画像生成機能はメモリカード９に記録された圧縮画像をデータ伸張して再生画像を生成する機能である。具体的な操作としては、モード設定スイッチ１４を再生モードに設定すると、メモリカード内のコマ番号の最も大きな画像データが読み出されてデータ伸張され、ＶＲＡＭ２１０に転送される。これにより、ＬＣＤ１０にはコマ番号の最も大きな画像、すなわち直近に撮影された画像が表示される。
【００６５】
＜ＡＦについて＞
デジタルカメラ１では、合焦(ＡＦ)位置を指定するＡＦカーソルＣＲがＬＣＤ１０に表示される撮影モードを備えているが、これに関して以下で説明する。
【００６６】
図８は、デジタルカメラ１の部分ブロック図である。
【００６７】
全体制御部２１１は、カーソル発生部２１１ｆと、カーソル表示位置制御部２１１ｇと、解像度変換部２１１ｈと、画像合成部２１１ｉと、合焦エリア設定部２１１ｊと、評価値演算部２１１ｋとを有している。
【００６８】
カーソル発生部２１１ｆは、ＬＣＤ１０において、図９に示すＡＦカーソルＣＲを発生させるためのカーソルデータをフラッシュＲＯＭ２１１ｂから読出し、カーソル表示位置制御部２１１ｇに転送する。なお、ＡＦカーソルＣＲは、十字の形状を有し、そのサイズは、ＬＣＤ１０上で１６×１６画素の大きさとなっている。
【００６９】
カーソル表示位置制御部２１１ｇでは、撮影者による操作部２５０に対する操作入力に基づき、ＬＣＤ１０上のＡＦカーソルＣＲの表示位置を変更する。これにより、撮影者の操作入力に応じてポインタとして働くＡＦカーソルＣＲがＬＣＤ１０で移動することとなる。また、カーソル表示位置制御部２１１ｇは、ＬＣＤ１０におけるＡＦカーソルＣＲの表示・非表示を切替える。
【００７０】
解像度変換部２１１ｈでは、ＣＣＤ３０３で取得される画像データを１／４に間引いた画像を生成し、この画像を画像合成部２１１ｉに転送する。
【００７１】
画像合成部２１１ｉでは、解像度変換部２１１ｈから入力される画像と、カーソル表示位置制御部２１１ｇから入力されるＡＦカーソルの画像とを合成し、ＶＲＡＭ２１０に伝送する。この合成動作により、ＬＣＤ１０上のＡＦカーソルＣＲの大きさは、解像度変換部２１１ｈにおける間引き率によらず一定のサイズとなる。
【００７２】
合焦エリア設定部２１１ｊは、ＬＣＤ１０の画面におけるＡＦカーソルＣＲの位置に対応し、合焦に利用するＡＦエリアＡＲ(図９参照)を設定する。このＡＦエリアＡＲは、例えば２００×８０ピクセルの大きさを有している。また、ＡＦエリアＡＲは、ＣＣＤ３０３で取得される画像面上において、横方向に１００ピクセルづつ１６ステップ、縦方向に８０ピクセルづつ１５ステップの離散的な移動を行う(図２０(ｂ)参照)。
【００７３】
評価値演算部２１１ｋは、シャッターボタン８が半押し状態(Ｓ１)になった場合に、コントラスト方式のＡＦを行うための評価値演算動作が行われる。ここでは、ＡＦエリアＡＲに相当する撮影画像データに関して、隣接する各画素に関する差分の絶対値の和である評価値が演算される。そして、レンズを駆動し、この評価値の最も高いレンズ位置が合焦位置とされる。よって、この合焦位置に対応するＡＦエリアＡＲに関してズームレンズ３０１を駆動し合焦を行うため、主被写体などを狙ってピントを合わせることができる。
【００７４】
なお、デジタルカメラ１では、ＡＦカーソルＣＲによりＡＦ位置を指定せず、ＬＣＤ１０の所定位置、具体的には画面中央部にＡＦエリアＡＦを設定する撮影モードも備えている。
【００７５】
＜ＡＥについて＞
ＡＥについては、ＬＣＤ１０画面におけるＡＦカーソルＣＲの位置を中心とした重点測光に基づくＡＥが行われる。換言すれば、ＡＦカーソルＣＲが、測光ポイントに対応するＡＥカーソルとしても機能することとなる。
【００７６】
この測光では、図１０に示すように、ＡＦカーソルＣＲを中心に、測光領域として働く楕円Ｅａおよび楕円Ｅｂを設定し、楕円Ｅａの内部を例えば重み係数８とし、楕円Ｅａから楕円Ｅｂまでの領域を例えば重み係数２としてＣＣＤ３０３で取得した画像データに対する測光演算を行う。これにより、主被写体を狙った適切な測光が可能となる。
【００７７】
＜画像データの記録について＞
ＣＣＤ３０３で取得された画像データは、メモリカード９に記録されるが、その記録形式について、以下で説明する。
【００７８】
図１１はメモリカード９のデータ配列を示す図である。このメモリカード９は、撮影画像データを記録する記録媒体として機能する。図１１に示すように、メモリカード９にはデジタルカメラ１によって記録された画像の各コマが順に配列して記憶される。また、各コマはタグ情報ＴＧとＪｐｅｇ形式で圧縮された高解像度画像データＨＤ(１６００×１２００画素)とサムネイル表示用のサムネイル画像データＳＤ（８０×６０画素)とが記録されている。
【００７９】
図１２は、タグ情報ＴＧの内容を示す図である。
【００８０】
タグ情報ＴＧでは、撮影焦点距離などが記録されるとともに、ＡＦ位置設定値ＦＳと拡大表示倍率ＭＳとが画像データに関連付けて記録される。
【００８１】
ＡＦ位置設定値ＦＳは、画像全体の縦横の長さをそれぞれ１とする場合に、ＡＦカーソルＣＲの中心の座標値を示すもので、０以上１以下の数値となる。例えば、図９に示すＡＦカーソルＣＲの位置では、ＡＦ位置設定値として０.４３、０.３２が設定される。このように全体画像に対する比率でＡＦ位置を記録するため、ＡＦカーソルの移動ステップが異なったり、表示画素数や撮影画素数が異なるデジタルカメラで撮影する場合でも、ＡＦ位置の情報の利用が容易となる。
【００８２】
拡大表示倍率ＭＳは、ＡＦ位置を中心に画像を拡大する際に利用する情報で、例えば４００％など、撮影画像を拡大する際に設定されるものである。
【００８３】
＜リモコン４の要部構成＞
図１３は、リモコン４の要部構成を説明するための図である。
【００８４】
リモコン４は、矩形板状の外形を有し、遠隔操作装置として機能する。このリモコン４では、その側面に、赤外発光部４１が設けられ、その上面に、第１入力部として機能するＡＦカーソルボタン４２、４連スイッチ４３およびシュッターボタン４４が設けられる。また、リモコン４は、ＬＣＤボタン４５とメニューボタン４６と確定ボタン４７と取消ボタン４８とを備えている。
【００８５】
赤外発光部４１は、デジタルカメラ１を遠隔操作するための信号を含む赤外線をデジタルカメラ１の赤外受光部２４に発する部位である。
【００８６】
ＡＦカーソルボタン４２、４連スイッチ４３およびシュッターボタン４４は、上記のＡＦカーソルボタン２２５、４連スイッチ２３０およびシャッターボタン８と同様に、デジタルカメラ１に対して指示入力を行うための部材である。また、ＬＣＤボタン４５およびメニューボタン４６も、上記のＬＣＤボタン３２１およびメニューボタン２２６と同様に、デジタルカメラ１に対して指示入力を行うための部材となっている。
【００８７】
確定ボタン４７および取消ボタン４８は、メニューボタン４６の押下によりデジタルカメラのＬＣＤ１０に表示される設定画面で設定を確定したい場合、および取消したい場合に操作する部材である。
【００８８】
以上の構成のデジタルカメラ１とリモコン４とを備える撮影システムＣＳ１の動作を以下で説明する。
【００８９】
＜撮影システムＣＳ１の動作＞
図１４は、撮影システムＣＳ１における撮影動作を示すフローチャートである。この動作は、デジタルカメラ１の全体制御部２１１により実行される。
【００９０】
ステップＳＴ１では、デジタルカメラ１に対してリモコン４が接続状態であるかを判定する。リモコン４がデータ伝送に関して接続されているか否かについては、全体制御部２１１が所定期間毎にリモコン４に向けて信号を発信し応答があれば接続状態と判断し、応答がなければ非接続状態と判断する。ここで、リモコン４が接続状態である場合には、ステップＳＴ２に進み、非接続状態である場合には、ステップＳＴ９に進む。
【００９１】
ステップＳＴ２では、リモコン４のＡＦカーソルボタン４２が、撮影者によって押下されたかを判定する。ここで、ＡＦカーソルボタン４２が押下された場合には、ステップＳＴ３に進み、押下されていない場合には、ステップＳＴ１０に進む。
【００９２】
ステップＳＴ３では、リモコン４でＡＦ位置の指定があるかを判定する。すなわち、撮影者によってリモコン４の４連スイッチ４３が操作され、ＬＣＤ１０に表示されるＡＦカーソルＣＲが移動したかを判断する。ここで、ＡＦ位置の指定がある場合には、ステップＳＴ４に進み、指定がない場合には、ステップＳＴ６に進む。
【００９３】
ステップＳＴ４では、リモコン４またはデジタルカメラ１に対する操作によって指定されたＡＦ位置を中心に、ＡＦエリアＡＲをセットする。
【００９４】
ステップＳＴ５では、ステップＳＴ４でセットされたＡＦエリアＡＲ内の画像データに基づき、ズームレンズ３０３を駆動し合焦を行うＡＦ処理を行い、その結果がライブビュー画像としてＬＣＤ１０に表示される。
【００９５】
ステップＳＴ６では、デジタルカメラ１でＡＦ位置の指定があるかを判定する。すなわち、第２入力部として働く４連スイッチ２３０が撮影者によって操作され、ＬＣＤ１０に表示されるＡＦカーソルＣＲが移動したかを判断する。ここで、ＡＦ位置の指定がある場合には、ステップＳＴ７に進み、指定がない場合には、ステップＳＴ１０に進む。
【００９６】
ステップＳＴ７では、デジタルカメラ１のＡＦ位置指定が有効となっているかを判定する。具体的には、図１５に示すように、ＬＣＤ１０に表示される「リモコン接続時のカメラのＡＦ位置指定」画面において、「有効」に選択されているかを判断することとなる。この判定動作により、切替手段として働く設定画面で「無効」が選択される場合には、ＡＦ位置指定についてリモコン４への操作のみが反映されるとともに、設定画面で「有効」が選択される場合には、デジタルカメラ１への操作により変更されたＡＦ位置に基づきステップＳＴ５でＡＦ処理が再度行われ、確実な処理を確保できることとなる。
【００９７】
このステップＳＴ７で、デジタルカメラ１のＡＦ位置指定が有効となっている場合には、ステップＳＴ４に進み、有効となっていない場合には、ステップＳＴ８に進む。
【００９８】
ステップＳＴ８では、ＬＣＤ１０に警告表示する。すなわち、ステップＳＴ１において接続状態であると判定される場合で、デジタルカメラ１への操作によりＡＦ位置が指定される場合には、所定の警告が行われることとなる。また、デジタルカメラ１で行われたＡＦ位置の指定を無効にする。これにより、デジタルカメラ１でのＡＦ位置指定が無効に設定されているにも関わらず、デジタルカメラ１で不適切なＡＦ位置指定の操作が行われた場合に、その操作を無効にできるとともに、その旨を撮影者に伝えることができる。
【００９９】
ステップＳＴ９では、ステップＳＴ６と同様に、デジタルカメラ１でＡＦ位置の指定があるかを判定する。ここで、ＡＦ位置の指定がある場合には、ステップＳＴ４に進み、指定がない場合には、ステップＳＴ１２に進む。
【０１００】
ステップＳＴ１０では、リモコン４のシャッターボタン４４が半押し(Ｓ１)となっているかを判定する。ここで、半押しとなっている場合には、ステップＳＴ１１に進み、半押しとなっていない場合には、ステップＳＴ１２に進む。
【０１０１】
ステップＳＴ１１では、ＡＦカーソルＣＲに対応する指定位置に基づき、デジタルカメラ１でズームレンズを駆動し合焦を行うＡＦ処理と、重点測光によるＡＥ処理を行う。すなわち、ステップＳＴ１０で行われたシャッターボタン４４に対する半押しの操作(特定の操作)に応答し、所定の処理であるＡＦ処理が行われることとなる。なお、ＡＦカーソルＣＲによる位置指定がない場合には、撮影画像の中央位置に基づき、ＡＦ処理とＡＥ処理が行われることとなる。
【０１０２】
そして、このＡＦ処理の結果は、ライブビュー画像としてＬＣＤ１０に表示され、被写体のピントが合っているかを撮影者が容易に確認できることとなる。
【０１０３】
ステップＳＴ１２では、デジタルカメラ１のシャッターボタン８が半押し(Ｓ１)となっているかを判定する。ここで、半押しとなっている場合には、ステップＳＴ１１に進む。
【０１０４】
ステップＳＴ１３では、リモコン４のシャッターボタン４４が全押し(Ｓ２)となっているかを判定する。ここで、全押しとなっている場合には、ステップＳＴ１４に進み、全押しとなっていない場合には、ステップＳＴ１５に進む。
【０１０５】
ステップＳＴ１４では、ＣＣＤ３０３で取得し、所定の画像処理が施された撮影画像データを、メモリカード９に記録する記録処理が行われる。
【０１０６】
ステップＳＴ１５では、デジタルカメラ１のシャッターボタン８が全押し(Ｓ２)となっているかを判定する。ここで、全押しとなっている場合には、ステップＳＴ１４に進む。
【０１０７】
以上の撮影システムＣＳ１の動作により、リモコンの操作によって撮影者はデジタルカメラに触れずにＡＦ位置を指定できるため、デジタルカメラが三脚ＴＦ(図１３参照)などに据えられて撮影が行われる場合などに、指定位置の精密な指定ができることとなる。
【０１０８】
＜第２実施形態＞
本発明の第２実施形態に係る撮影システムＣＳ２は、第１実施形態と同様の構成のデジタルカメラ１と、デジタルカメラ１とデータ伝送可能なパーソナルコンピュータ(以下では単に「パソコン」という)５とで構成されている。以下では、パソコン５の要部構成を説明する。
【０１０９】
＜パソコン５の要部構成＞
図１６は、パソコン５の要部構成を説明するための図である。
【０１１０】
パソコン５は、箱状の形状を有する処理部５０と、操作部５１と、表示部５２とを有しており、遠隔操作装置として機能する。
【０１１１】
処理部５０は、その前面に光ディスクなどの記録媒体６を装着可能なドライブ５０１を有するとともに、メモリカード９を装着可能なドライブ５０２を有している。
【０１１２】
操作部５１は、マウス５１１とキーボード５１２とを有しており、オペレータからのパソコン５に対する入力操作を受付ける。
【０１１３】
表示部５２は、例えばＣＲＴで構成され、遠隔表示手段として機能する。
【０１１４】
図１７は、パソコン５の機能ブロックを示す図である。
【０１１５】
処理部５０は、上記の操作部５１および表示部５２に接続する入出力Ｉ／Ｆ５３と、入出力Ｉ／Ｆ５３に電気的に接続する制御部５４とを備えている。また、処理部５０は、制御部５４に電気的に接続する記憶部５５と、入出力Ｉ／Ｆ５６と、通信Ｉ／Ｆ５７とを備えている。
【０１１６】
入出力Ｉ／Ｆ５３は、操作部５１および表示部５２と制御部５４との間でデータの送受をコントロールするためのインターフェースである。
【０１１７】
記憶部５５は、例えばハードディスクとして構成されており、撮影プログラムなどを格納する。
【０１１８】
入出力Ｉ／Ｆ５６は、ドライブ５０１、５０２を介して、記録媒体６、９に対するデータの入出力を行うためのインターフェースである。
【０１１９】
通信Ｉ／Ｆ５７は、ケーブルＣＢを介して、デジタルカメラ１とデータ伝送を行うためのインターフェースである。なお、この通信の際には、デジタルカメラ１のカード装填室１７にインターフェースカードが装填され、このインターフェースカードにケーブルＣＢが接続されることとなる。
【０１２０】
制御部５４は、ＣＰＵ５４１およびメモリ５４２を有しており、パソコン５の動作を統括制御する部位である。このＣＰＵ５４１(コンピュータ)で撮影プログラムが実行されることにより、ケーブルＣＢを介してデジタルカメラ１と通信を行いつつ、リモートレリーズが行えることとなる。
【０１２１】
制御部５４のメモリ５４２には、記録媒体９に記録されているプログラムデータを入出力Ｉ／Ｆ５６を介して格納することができる。これにより、記録媒体９に格納される撮影プログラムをパソコン５の動作に反映できることとなる。
【０１２２】
撮影プログラムが実行されると、図１８に示すウィンドウ画面ＷＤが、表示部５２に表示される。このウィンドウ画面ＷＤの各部について、以下で説明する。
【０１２３】
ウィンドウ画面ＷＤには、その中央部に画像表示エリアＧＤが設けられるとともに、下部にＡＦ位置指定ボタンＢＡと撮影ボタンＢＳとが設けられている。
【０１２４】
第１実施形態で説明したデジタルカメラ１のＬＣＤ１０と同様に、画像表示エリアＧＤには、デジタルカメラ１のＣＣＤ３０３で撮像されたライブビュー(プレビュー)画像が表示されるとともに、撮影ボタンＢＳがマウス５１１でクリックされると撮影された画像が表示される。
【０１２５】
ＡＦ位置指定ボタンＢＡは、デジタルカメラ１のＡＦカーソルボタン２２５と同様に、ＡＦ位置に対応するＡＦカーソル(マウスカーソル)ＣＲｐを画像表示エリアＧＤに表示せるためのボタンである。このＡＦカーソルＣＲｐは、撮影者によるマウス５１１の操作によって連続的に移動することとなる。このようにマウス５１１を利用することにより、容易にＡＦ位置を指定できることとなる。
【０１２６】
撮影ボタンＢＳは、リモートレリーズ、すなわちデジタルカメラ１に撮影指示を行うためのボタンである。
【０１２７】
以上の構成の撮影システムＣＳ２の動作について以下で説明する。
【０１２８】
＜撮影システムＣＳ２の動作＞
図１９は、撮影システムＣＳ２における撮影動作を示すフローチャートである。この動作は、記憶部５５に格納される撮影プログラムを起動することによって実行される。
【０１２９】
ステップＳＴ２１では、マウスカーソルでＡＦ位置の指定があるかを判定する。具体的には、撮影者によってＡＦ位置指定ボタンＢＡがクリックされた後、ポインティングデバイスとして働くマウス５１１が操作されＡＦカーソル(マウスカーソル)ＣＲｐが画像表示エリアＧＤで移動したかを判断する。ここで、ＡＦ位置の指定がある場合には、ステップＳＴ２２に進み、指定がない場合には、ステップＳＴ２８に進む。
【０１３０】
ステップＳＴ２２では、画像表示エリアＧＤに関する表示画像サイズを取得する。具体的には、画像表示エリアＧＤにおける表示画素行列の情報、つまり図２０(ａ)に示す水平画素数ａtと垂直画素数ｂtとを取得する。
【０１３１】
ステップＳＴ２３では、ＡＦカーソルＣＲｐの位置を取得する。具体的には、図２０(ａ)に示すように、ＡＦカーソルＣＲｐの画像表示エリアＧＤ全体に対する画素の位置(ａm，ｂm)を取得する。
【０１３２】
ステップＳＴ２４では、デジタルカメラ１に対応するＡＦエリアＡＲの位置を求める。上述したように、処理位置として働くＡＦエリアＡＲは、図２０(ｂ)に示す仮想線のように、デジタルカメラ１の撮影画素行列ＣＤ上について複数の画素ごと、つまり横方向に１００画素ごとに１６ステップ、縦方向に８０画素ごとに１５ステップの離散的な移動を行う。しかし、画像表示エリアＧＤに関するＡＦカーソルＣＲｐはマウス５１１の操作によって連続的に移動するため、相互の位置関係の調整が必要となる。そこで、ＡＦカーソルＣＲｐの位置(ａm，ｂm)に対応する撮影画素行列ＣＤのＡＦエリアＡＲの位置(Ｃａm，Ｃｂm)を算出する。
【０１３３】
これにより、デジタルカメラ１の撮影画素行列と異なる表示画素行列を有する画像表示エリアＧＤで指定されるＡＦ位置が、撮影画素行列に対応する位置の情報に変換されるため、適切な位置情報をデジタルカメラ１に提供できることとなる。
【０１３４】
ステップＳＴ２５では、デジタルカメラ１がステップＳＴ２４で求めたＡＦエリアＡＲの位置(Ｃａm，Ｃｂm)の情報をデジタルカメラ１に、ケーブルＣＢを介して送信する。これにより、デジタルカメラ１では認識が容易な位置情報を受信できることとなる。
【０１３５】
ステップＳＴ２６では、ステップＳＴ２５で送信されたＡＦエリアＡＲの位置情報に基づき、デジタルカメラ１のズームレンズ３０３を駆動し合焦を行うＡＦ処理行う。
【０１３６】
ステップＳＴ２７では、デジタルカメラ１のＣＣＤ３０３で撮像された画像データをパソコン５が受信し、画像表示エリアＧＤ内の画像の表示更新を行う。これにより、撮影前のライブビュー画像がパソコン５で視認できることとなる。
【０１３７】
ステップＳＴ２８では、撮影者によるマウス５１１の操作により、ウィンドウ画面ＷＤの撮影ボタンＢＳが押下されたかを判定する。ここで、撮影ボタンＢＳが押下された場合には、ステップＳＴ２９に進む。
【０１３８】
ステップＳＴ２９では、パソコン５からデジタルカメラ１に対して、ＡＦおよびＡＥ処理を指示する。この指示を受けたデジタルカメラ１では、図１４のステップＳＴ１１と同様に、ＡＦ処理およびＡＥ処理が行われる。
【０１３９】
ステップＳＴ３０では、デジタルカメラ１で撮影された画像データをケーブルＣＢを介してパソコン５が受信し、この撮影画像データをパソコン５の記憶部５５に記録する処理を行う。
【０１４０】
以上の撮影システムＣＳ１の動作により、パソコンの操作によって撮影者はデジタルカメラに触れずにＡＦ位置を指定できるため、デジタルカメラが三脚ＴＦ(図１６参照)などに据えられて撮影が行われる場合などに、指定位置の精密な指定ができることとなる。
【０１４１】
＜変形例＞
◎上記の各実施形態におけるＡＦ位置の指定については、カーソルで指定するのは必須でなく、矩形のエリアで指定しても良い。
【０１４２】
◎上記の第２実施形態におけるＡＦエリア位置への変換(図１９のステップＳＴ２４)については、パソコン側で行うのは必須でなく、デジタルカメラ側で行ってもよく、またパソコンおよびデジタルカメラで協同して行っても良い。
【０１４３】
◎本発明については、画像編集のためのトリミング領域(編集領域)をＬＣＤ上やパソコン画面上で指定する場合にも、適用可能である。
【０１４４】
図２１は、矩形状のトリミング領域ＴＡを指定する様子を示す図である。
【０１４５】
トリミング領域ＴＡは、まず撮影者によって指定された矩形の左上位置ＣＲｓと、その位置ＣＲｓからカーソルを移動して指定される矩形の右下位置ＣＲｔとで囲まれる領域となる。
【０１４６】
このようにトリミング領域ＴＡを指定する場合でも、デジタルカメラ１に対して遠隔指示ができるため、精密な位置指定ができることとなる。
【０１４７】
また、カーソルの位置を中心に画像を拡大する場合にも、上記各実施形態のＡＦカーソルＣＲに関する遠隔操作と同様に適用可能である。この場合にも、同様の効果を奏することとなる。
【０１４８】
【発明の効果】
以上説明したように、請求項１の発明によれば、遠隔操作装置が第１入力部に対する所定の操作に応じて指定位置を指定する第１指定手段を備え、デジタルカメラが第１入力部に対する特定の操作に応答し指定位置に基づき所定の処理を行う。また、遠隔操作装置とデジタルカメラとが接続状態であると判定される場合で、デジタルカメラの第２入力部に対する所定の操作に応じて特定位置を指定する第２指定手段により指定位置が指定される場合には、所定の警告を行う。その結果、被写体に係る指定位置を指定可能なデジタルカメラにおいて、指定位置の精密な指定ができ、デジタルカメラで不適切な操作が行われる場合に、その旨を撮影者に伝えることができる。
【０１５１】
また、請求項２の発明によれば、遠隔操作装置が第１入力部に対する所定の操作に応じて指定位置を指定する第１指定手段を備え、デジタルカメラが第１入力部に対する特定の操作に応答し指定位置に基づき所定の処理を行う。また、遠隔操作装置とデジタルカメラとが接続状態であると判定される場合で、デジタルカメラの第２入力部に対する所定の操作に応じて特定位置を指定する第２指定手段により指定位置が指定される場合には当該指定位置の指定を無効にする。その結果、デジタルカメラで不適切な操作が行われる場合に、その操作を無効にできる。
【０１５２】
また、請求項３の発明によれば、遠隔操作装置が第１入力部に対する所定の操作に応じて指定位置を指定する第１指定手段を備え、デジタルカメラが第１入力部に対する特定の操作に応答し指定位置に基づき所定の処理を行う。また、遠隔操作装置とデジタルカメラとが接続状態であると判定される場合で、デジタルカメラの第２入力部に対する所定の操作に応じて特定位置を指定する第２指定手段により指定位置が変更される場合には所定の処理を再度行う。その結果、デジタルカメラで指定位置の指定が行われる場合でも、確実な処理を行える。
また、請求項４の発明においては、合焦に係る処理の結果を表示部に表示させるため、処理結果を容易に確認できる。
【０１５３】
また、請求項５の発明においては、警告手段と再処理手段とを選択的に能動化させるため、デジタルカメラで行われる指定位置の指定に関して有効・無効の切替を容易に行える。
【図面の簡単な説明】
【図１】本発明の第１実施形態に係るデジタルカメラ１の正面図である。
【図２】デジタルカメラ１の背面図である。
【図３】デジタルカメラ１の側面図である。
【図４】デジタルカメラ１の底面図である。
【図５】デジタルカメラ１の内部構成を示すブロック図である。
【図６】画像処理部２００の構成を示すブロック図である。
【図７】ライブビュー表示を説明する図である。
【図８】デジタルカメラ１の部分ブロック図である。
【図９】ＬＣＤ１０に表示されるＡＦカーソルＣＲを説明するための図である。
【図１０】デジタルカメラ１における測光を説明する図である。
【図１１】メモリカード９のデータ配列を示す図である。
【図１２】タグ情報ＴＧの内容を示す図である。
【図１３】リモコン４の要部構成を説明するための図である。
【図１４】撮影システムＣＳ１における撮影動作を示すフローチャートである。
【図１５】リモコン接続時のカメラのＡＦ位置指定画面を説明するための図である。
【図１６】本発明の第２実施形態に係るパソコン５の要部構成を説明するための図である。
【図１７】パソコン５の機能ブロックを示す図である。
【図１８】撮影プログラムの起動によって表示されるウィンドウ画面ＷＤを示す図である。
【図１９】撮影システムＣＳ２における撮影動作を示すフローチャートである。
【図２０】パソコン５のＡＦカーソルＣＲｐとデジタルカメラ１のＡＦエリアＡＲとの位置関係を説明するための図である。
【図２１】本発明の変形例に係る矩形状のトリミング領域ＴＡを指定する様子を示す図である。
【符号の説明】
１  デジタルカメラ
４  リモートコントローラ(リモコン)
５  パーソナルコンピュータ(パソコン)
８  デジタルカメラのシャッターボタン
１０  ＬＣＤ
４２  リモコンのＡＦカーソルボタン
４３  リモコンの４連スイッチ
４４  リモコンのシャッターボタン
５２  表示部
２２５  デジタルカメラのＡＦカーソルボタン
２３０  デジタルカメラの４連スイッチ
５１１  マウス
ＡＲ  ＡＦエリア
ＢＡ  ＡＦ位置指定ボタン
ＢＳ  撮影ボタン
ＣＲ  ＡＦカーソル
ＣＳ１、ＣＳ２  撮影システム
ＧＤ  画像表示エリア
ＷＤ  ウィンドウ画面
【図１】
0003726733.tif 000002
【図２】
0003726733.tif 000003
【図３】
0003726733.tif 000004
【図４】
0003726733.tif 000005
【図５】
0003726733.tif 000006
【図６】
0003726733.tif 000007
【図７】
0003726733.tif 000008
【図８】
0003726733.tif 000009
【図９】
0003726733.tif 000010
【図１０】
0003726733.tif 000011
【図１１】
0003726733.tif 000012
【図１２】
0003726733.tif 000013
【図１３】
0003726733.tif 000014
【図１４】
0003726733.tif 000015
【図１５】
0003726733.tif 000016
【図１６】
0003726733.tif 000017
【図１７】
0003726733.tif 000018
【図１８】
0003726733.tif 000019
【図１９】
0003726733.tif 000020
【図２０】
0003726733.tif 000021
【図２１】
0003726733.tif 000022